(57)【要約】【課題】容易に高さ調節することができ、不用意に上部ロッドが降下してしまうことがない点滴懸架装置の高さ調節装置を提供する。【解決手段】点滴スタンドの下部ロッド１に、高さ調節装置の下部ハウジング１１が固定されている。また、この下部ハウジング１１には上部ハウジング２１が固定されている。これらの下部ハウジング１１及び上部ハウジング２１にはその中心に孔が設けられており、この孔内に上部ロッド２が挿入され、更に上部ロッド２は下部ロッド１内に挿入される。下部ハウジング１１及び上部ハウジング２１内には、コイルバネが格納されており、第１レバー１２及び第２レバー２２を摘まんで相互に接近する方向に移動させると、コイルバネの内径が拡大して、上部ロッド２の昇降が可能となり、第１レバー１２及び第２レバー２２をフリーにすると、コイルバネが弾性力により元の形状に戻って内径が縮小し、上部ロッド２を締め付けて、固定する。【選択図】図１
2014188196.tif 000002
【特許請求の範囲】
【請求項１】
円筒状の第１ロッドと、この第１ロッドの内径より小さい外径を有して前記第１ロッド内に挿入される円柱状又は円筒状の第２ロッドとを備え、前記第１ロッド及びこの第１ロッドから外部に露出した前記第２ロッドの部分の全長により高さが決まる点滴懸架装置の前記高さを調節する装置において、
前記第１ロッドに固定されるハウジングと、
前記ハウジング内に、前記第１及び第２ロッドの軸芯の周りに回動するように格納された第１レバーと、
前記ハウジングに固定された第２レバーと、
一端が前記第１ハウジングに係止され、他端が前記第１レバーに係止されて、前記第１ハウジング内に前記第２ロッドを外嵌するように配置されたコイルバネと、
を有し、
前記第１レバー及び前記第２レバーの夫々前記ハウジングから外部に露出した第１部分及び第２部分を相互に接近する方向に挟持することにより、前記コイルバネの内径を大きくすることによって前記第２ロッドに対する締め付けを緩め、
前記第１レバー及び前記第２レバーの前記第１部分及び第２部分の挟持を解除した場合に、前記コイルバネの内径が小さくなって前記コイルバネが前記第２ロッドを締め付けることを特徴とする点滴懸架装置の高さ調節装置。
【請求項２】
円筒状の第１ロッドと、この第１ロッドの内径より小さい外径を有して前記第１ロッド内に挿入される円柱状又は円筒状の第２ロッドとを備え、前記第１ロッド及びこの第１ロッドから外部に露出した前記第２ロッドの部分の全長により高さが決まる点滴懸架装置の前記高さを調節する装置において、
前記第２ロッドが挿通するように前記第１ロッドに固定される第１ハウジングと、
前記第２ロッドが挿通するように前記第１ハウジングに固定される第２ハウジングと、
前記第１ハウジング内に格納され、前記第１及び第２ロッドの軸芯の周りに回動する第１レバーと、
前記第２ハウジング内に格納され、前記第１及び第２ロッドの軸芯の周りに回動する第２レバーと、
一端が前記第１ハウジングに係止され、他端が前記第１レバーに係止されて、前記第１ハウジング内に前記第２ロッドを外嵌するように配置された第１コイルバネと、
一端が前記第２ハウジングに係止され、他端が前記第２レバーに係止されて、前記第２ハウジング内に前記第２ロッドを外嵌するように配置された第２コイルバネと、
を有し、
前記第１レバー及び前記第２レバーの夫々前記第１ハウジング及び第２ハウジングから外部に露出した第１部分及び第２部分を相互に接近する方向に挟持して回動させることにより、前記第１コイルバネ及び第２コイルバネの内径を大きくすることによって前記第２ロッドに対する締め付けを緩め、
前記第１レバー及び前記第２レバーの前記第１部分及び第２部分の挟持を解除した場合に、前記第１コイルバネ及び第２コイルバネの内径が小さくなって前記第１コイルバネ及び第２コイルバネが前記第２ロッドを締め付けることを特徴とする点滴懸架装置の高さ調節装置。
【請求項３】
前記第１レバーの前記第１ハウジング内の部分は、前記第１及び第２ロッドの軸芯を中心とする２重円筒形状を有し、前記第１ハウジングは前記第１レバーの二重円筒の間を仕切る円筒状の第１壁を有し、
前記第２レバーの前記第２ハウジング内の部分は、前記第１及び第２ロッドの軸芯を中心とする２重円筒形状を有し、前記第２ハウジングは前記第２レバーの二重円筒の間を仕切る円筒状の第２壁を有することを特徴とする請求項２に記載の点滴懸架装置の高さ調節装置。
【請求項４】
前記第１ハウジングにおける第２ハウジングの反対側の部分に、前記第１ロッドの外面と前記第１ロッドの内面とを規制する１対の円筒状の固定壁が形成されており、前記第１ロッドの端部が前記１対の固定壁に嵌合されて前記第１ハウジングが前記第１ロッドに位置決めされていることを特徴とする請求項２又は３に記載の点滴懸架装置の高さ調節装置。
【請求項５】
前記第１レバーの第１部分と、前記第２レバーの第２部分との相互に対向する面には、夫々第１突起及び第２突起が形成されており、前記第１部分及び第２部分を相互に接近する方向に挟持したときに前記第１突起と前記第２突起とが相互に当接することを特徴とする請求項２乃至４のいずれか１項に記載の点滴懸架装置の高さ調節装置。
【請求項６】
前記第２ロッドにおける前記第１ロッド内に進入する部分に、前記第２ロッドと前記第１ロッドとの間の隙間に介在して前記第１ロッドに接触する弾性板が設けられていることを特徴とする請求項２乃至５のいずれか１項に記載の点滴懸架装置の高さ調節装置。
【発明の詳細な説明】
【技術分野】
【０００１】
本発明は、点滴スタンド及び点滴ポールのように、点滴バッグを懸架するための装置の点滴バッグの高さを調節する高さ調節装置に関する。
【背景技術】
【０００２】
従来の点滴スタンドにおいては、図１１及び図１２に示すように、キャスタ等で移動可能に構成された台部５の中心に、円筒状の下部ロッド１が垂直に立設されており、この下部ロッド１の内径よりも外径が小さい上部ロッド２が、下部ロッド１内に挿入されて連結されている。そして、上部ロッド２の上端に水平の係止棒６が固定されており、この係止棒６に、点滴バッグが懸架されるようになっている。下部ロッド１には、固定部材３が固定されており、この固定部材３には、下部ロッド１を貫通するネジ孔が設けられていて、このネジ孔にノブボルト４を螺合して、ノブボルト４をねじ込むことにより、ノブボルト４の先端を上部ロッド２に押しつけ、ノブボルト４を緊締することにより、下部ロッド１に対して上部ロッド２を固定するようになっている（特許文献１）。
【０００３】
この従来の点滴スタンドの高さ調節装置は、例えば、左手で上部ロッド２を握持し、右手でノブボルト４を緩めて、上部ロッド２の下部ロッド１に対する位置を調節して、上部ロッド２及び下部ロッド１の連結全長（支柱としての長さ）を調節し、その後、右手でノブボルト４をねじ込んで、ノブボルト４により上部ロッド２を固定することにより、係止棒６に懸架された点滴バッグの高さ位置を調整する。
【先行技術文献】
【特許文献】
【０００４】
【特許文献１】特開２００６−２３０４７９号公報
【発明の概要】
【発明が解決しようとする課題】
【０００５】
しかしながら、この従来の点滴スタンドの高さ調節装置においては、利用者の握力により、ノブボルト４を締結して、上部ロッド２を固定しているため、利用者の握力の程度によっては、上部ロッド２の固定が不十分となり、不用意に上部ロッド２が降下してしまう事故が発生する虞がある。
【０００６】
また、ノブボルト４を緩めるとき及び締め付けるときに、ノブボルト４を回動させる手の逆の手で、下部ロッド１を動かないように固定しないと、操作しづらいという問題点もあり、例えば、右手でノブボルト４を操作する場合は、左手で、上部ロッド２を降下しないように支持すると共に、下部ロッド１も横方向に移動しないように支持する必要がある。このため、点滴スタンドの高さ調節の操作がしにくいという難点がある。
【０００７】
本発明はかかる問題点に鑑みてなされたものであって、下部ロッドを動かないように固定しなくても、容易に高さ調節することができ、不用意に上部ロッドが降下してしまうことがない点滴懸架装置の高さ調節装置を提供することを目的とする。
【課題を解決するための手段】
【０００８】
本発明に係る点滴懸架装置の高さ調節装置は、
円筒状の第１ロッドと、この第１ロッドの内径より小さい外径を有して前記第１ロッド内に挿入される円柱状又は円筒状の第２ロッドとを備え、前記第１ロッド及びこの第１ロッドから外部に露出した前記第２ロッドの部分の全長により高さが決まる点滴懸架装置の前記高さを調節する装置において、
前記第１ロッドに固定されるハウジングと、
前記ハウジング内に、前記第１及び第２ロッドの軸芯の周りに回動するように格納された第１レバーと、
前記ハウジングに固定された第２レバーと、
一端が前記第１ハウジングに係止され、他端が前記第１レバーに係止されて、前記第１ハウジング内に前記第２ロッドを外嵌するように配置されたコイルバネと、
を有し、
前記第１レバー及び前記第２レバーの夫々前記ハウジングから外部に露出した第１部分及び第２部分を相互に接近する方向に挟持することにより、前記コイルバネの内径を大きくすることによって前記第２ロッドに対する締め付けを緩め、
前記第１レバー及び前記第２レバーの前記第１部分及び第２部分の挟持を解除した場合に、前記コイルバネの内径が小さくなって前記コイルバネが前記第２ロッドを締め付けることを特徴とする。
【０００９】
本発明に係る他の点滴懸架装置の高さ調節装置は、
円筒状の第１ロッドと、この第１ロッドの内径より小さい外径を有して前記第１ロッド内に挿入される円柱状又は円筒状の第２ロッドとを備え、前記第１ロッド及びこの第１ロッドから外部に露出した前記第２ロッドの部分の全長により高さが決まる点滴懸架装置の前記高さを調節する装置において、
前記第２ロッドが挿通するように前記第１ロッドに固定される第１ハウジングと、
前記第２ロッドが挿通するように前記第１ハウジングに固定される第２ハウジングと、
前記第１ハウジング内に格納され、前記第１及び第２ロッドの軸芯の周りに回動する第１レバーと、
前記第２ハウジング内に格納され、前記第１及び第２ロッドの軸芯の周りに回動する第２レバーと、
一端が前記第１ハウジングに係止され、他端が前記第１レバーに係止されて、前記第１ハウジング内に前記第２ロッドを外嵌するように配置された第１コイルバネと、
一端が前記第２ハウジングに係止され、他端が前記第２レバーに係止されて、前記第２ハウジング内に前記第２ロッドを外嵌するように配置された第２コイルバネと、
を有し、
前記第１レバー及び前記第２レバーの夫々前記第１ハウジング及び第２ハウジングから外部に露出した第１部分及び第２部分を相互に接近する方向に挟持して回動させることにより、前記第１コイルバネ及び第２コイルバネの内径を大きくすることによって前記第２ロッドに対する締め付けを緩め、
前記第１レバー及び前記第２レバーの前記第１部分及び第２部分の挟持を解除した場合に、前記第１コイルバネ及び第２コイルバネの内径が小さくなって前記第１コイルバネ及び第２コイルバネが前記第２ロッドを締め付けることを特徴とする。
【００１０】
この点滴懸架装置の高さ調節装置において、
前記第１レバーの前記第１ハウジング内の部分は、前記第１及び第２ロッドの軸芯を中心とする２重円筒形状を有し、前記第１ハウジングは前記第１レバーの二重円筒の間を仕切る円筒状の第１壁を有し、
前記第２レバーの前記第２ハウジング内の部分は、前記第１及び第２ロッドの軸芯を中心とする２重円筒形状を有し、前記第２ハウジングは前記第２レバーの二重円筒の間を仕切る円筒状の第２壁を有するように構成することができる。
【００１１】
また、
前記第１ハウジングにおける第２ハウジングの反対側の部分に、前記第１ロッドの外面と前記第１ロッドの内面とを規制する１対の円筒状の固定壁が形成されており、前記第１ロッドの端部が前記１対の固定壁に嵌合されて前記第１ハウジングが前記第１ロッドに位置決めされているように構成することができる。
【００１２】
更に、
前記第１レバーの第１部分と、前記第２レバーの第２部分との相互に対向する面には、夫々第１突起及び第２突起が形成されており、前記第１部分及び第２部分を相互に接近する方向に挟持したときに前記第１突起と前記第２突起とが相互に当接するように構成することができる。
【００１３】
更にまた、
前記第２ロッドにおける前記第１ロッド内に進入する部分に、前記第２ロッドと前記第１ロッドとの間の隙間に介在して前記第１ロッドに接触する弾性板が設けられているように構成することができる。
【発明の効果】
【００１４】
本発明によれば、作業者が第１レバー及び第２レバーの第１部分及び第２部分を親指及び人差し指でつかんで相互に接近する方向に回動させることにより、第１コイルバネ及び第２コイルバネの内径が大きくなり、第１コイルバネ及び第２コイルバネによる第２ロッドの締め付け力が弱くなり、又は第１コイルバネ及び第２コイルバネが第２ロッドから離隔するので、第２ロッドは第１ロッドに対してその軸芯方向に移動することができる。このため、第２ロッドの位置を容易に調整することができ、第１ロッドと第２ロッドの前記第１ロッドから露出した部分との全長が変化し、点滴懸架装置の高さを調節することができる。また、第１部分及び第２部分から手を離して、その挟持を解除すると、第１コイルバネ及び第２コイルバネは、弾性力により、それらの内径が小さくなる方向に変形し、第２ロッドを締め付ける。これにより、第２ロッドが高さ調節装置に固定され、第２ロッドの位置がその状態に保持される。
【００１５】
このとき、第２ロッドは第１コイルバネ及び第２コイルバネにより締め付けられてその位置に固定されているので、作業者の握力には無関係に固定状態が保持され、不用意に第２ロッドが落下することはなく、確実に点滴バッグの高さが保持される。また、第１部分及び第２部分を相互に接近する方向に摘まむだけで、第２ロッドの高さ位置を調節できるので、点滴バッグの高さの調節が容易である。
【００１６】
また、第１レバー及び第２レバーが、２重円筒形状の部分を有し、第１ハウジング及び第２ハウジングがこの２重円筒形状の部分を嵌合する第１壁及び第２壁を有することにより、第１部分及び第２部分を、第１コイルバネ及び第２コイルバネの弾性力に抗して、相互に接近する方向に回動させるときに、第１部分及び第２部分を円滑に回動させることができる。
【００１７】
更に、第１ハウジングに第１ロッドの端部を嵌合する固定壁を設けることにより、第１ハウジングを第１ロッドに対して容易に位置決めすることができる。
【００１８】
更にまた、第１部分と第２部分との相互に対向する面に、相互に当接可能の突起を設けることにより、第１部分及び第２部分の根元に過大な応力が印加されて、第１部分及び第２部分が折損してしまうことを防止できる。
【００１９】
更にまた、第１ロッドと第２ロッドとの間の隙間に介在する弾性板を、第２ロッドの外面に設けることにより、第２ロッドが下降するときに、第１ロッドの内部の空気の圧力が高まり、第２ロッドの下降に対して抵抗となるので、第１コイルバネ及び第２コイルバネを緩めたときに、第２ロッドがフリーの状態でも、第２ロッドを徐々に降下させることができる。
【図面の簡単な説明】
【００２０】
【図１】本発明の実施形態に係る高さ調節装置を示す斜視図である。
【図２】下部ハウジング及び第１レバーを示す斜視図である。
【図３】上部ハウジング及び第２レバーを示す斜視図である。
【図４】下部ハウジングを示す図である。
【図５】第１レバーを示す図である。
【図６】上部ハウジングを示す図である。
【図７】下部ハウジングと上部ハウジングとを組み立てる方法を示す斜視図である。
【図８】高さ調節装置の使用方法を示す斜視図である。
【図９】高さ調節装置を示す図である。
【図１０】コイルバネを示す図である。
【図１１】従来の高さ調節装置を示す斜視図である。
【図１２】点滴スタンドを示す斜視図である。
【発明を実施するための形態】
【００２１】
以下、本発明の実施形態について、添付の図面を参照して具体的に説明する。図１は、本発明の実施形態に係る高さ調節装置１０を示す斜視図である。この高さ調節装置１０は、図１１及び図１２に示す従来の固定部材３の代わりに、点滴スタンドの下部ロッド１及び上部ロッド２に設置される。下部ロッド１は台部５に垂直に立設されており、上部ロッド２には、係止棒６を介して点滴バッグが懸架される。下部ロッド１には、高さ調節装置１０の下部ハウジング（第１ハウジング）１１が、下部ロッド１を挿通するようにして固定され、この下部ハウジング１１には、上部ロッド２を挿通する上部ハウジング（第２ハウジング）２１が固定されている。また、下部ハウジング１１から、第１レバー１２の第１部分が外部に露出しており、上部ハウジング２１から、第２レバー２２の第２部分が外部に露出している。そして、後述するようにして、第１レバー１２の第１部分及び第２レバー２２の第２部分を相互に接近する方向に回動させることにより、上部ロッド２は、下部ロッド１に対する固定が解除されて、昇降及び下降することができる。
【００２２】
次に、下部ハウジング１１について、図２，図４及び図５を参照して説明する。図２は第１レバー１２を含む下部ハウジング１１の斜視図、図４（ａ）乃至（ｄ）は、夫々、下部ハウジング１１の平面図、正面図、右側面図、底面図、図５（ａ）、（ｂ）は、夫々、第１レバー１２の平面図、底面図である。下部ハウジング１１は、その中心部に、上部ロッド２が挿通する孔１７が設けられている。下部ハウジング１１はその外壁が孔１７を中心とする円筒状をなし、下部ハウジング１１の外壁により囲まれた下部ハウジング１１内部におけるその上半部に、孔１７を中心とする円周上の位置に、第１壁としての円周壁１４ａ，１４ｂが形成されている。これらの円周壁１４ａ、１４ｂの間には、後述する第１コイルバネの一端部を係止するための間隙１４ｃが形成されている。そして、円周壁１４ａの上面には突起１５ａと凹部１６ａが形成されており、円周壁１４ｂの上面には突起１５ｂと凹部１６ｂ、１６ｃが形成されている。なお、円周壁１４ａ、１４ｂの内面は、孔１７よりも若干大径で円弧状をなしており、円周壁１４ａ，１４ｂの厚さ（内面と外面との間の間隔）は一定である。円筒状をなす下部ハウジング１１の外面の一部はその上半部が切り欠かれており、後述する第１レバー１２が回動するための開口窓１９となっている。一方、下部ハウジング１１の下面３１には、孔１７を取り囲むようにして、円弧状の１対の固定壁１０が立設されており、下面３１と固定壁３０との間は、一定幅の凹部となっている。この下面３１と固定壁３０との間の隙間は、円周状に延びており、この隙間の内径，外径及び幅は、夫々、下部ロッド１の内径、外径及び厚さに相当する寸法を有している。このため、下部ロッド１の上端部をこの固定壁３０と下面３１との間の円周状の隙間に嵌合することにより、下部ハウジング１１を下部ロッド１に対して位置決めすることができる。そして、下部ハウジング１１の周面下部に設けられたネジ孔３２内にネジ（図示せず）を螺合することにより、固定壁３０により位置決めされた下部ロッド１をネジにより、締め付けると、下部ハウジング１１が下部ロッド１に固定される。
【００２３】
第１レバー１２は、下部ハウジング１１内の部分１３が２重円筒状をなし、下部ハウジング１１から露出する第１部分が羽根状（羽根１２ａ）をなす。この２重円筒状の部分１３は、外筒部１３ａと、この外筒部１３ａより小径の内筒部１３ｂとが同心的に円弧状に延びて形成されており、外筒部１３ａと内筒部１３ｂとは、連絡部１３ｃにより連結されている。そして、第１レバー１２の内筒部１３ｂと外筒部１３ａとの間の隙間１８に、下部ハウジング１１の円周壁１４ａ，１４ｂが入り込むようにして、第１レバー１２の２重円筒部分１３を下部ハウジング１１の上半部に嵌め込む。そうすると、第１レバー１２は、外筒部１３ａ及び内筒部１３ｂが下部ハウジング１１の円周壁１４ａ、１４ｂに案内されて回動するため、孔１７の中心の周りに、円滑に回動する。第１レバー１２の下部ハウジング１１から露出した第１部分は、羽根１２ａとなっており、この羽根１２ａにおける後述する羽根２２ａと対向する面には、突起４２が形成されており、対向面の反対側の面には、指の滑動を防止するための凹凸４１が形成されている。第１レバー１２の内筒部１３ｂと外筒部１３ａとを連結する連絡部１３ｃの下面には、孔１７の中心に向けて開口する１対の壁１３ｅが形成されており、壁１３ｅ間に、コイルバネ５０の他端部を係止する間隙１３ｄが形成されている。
【００２４】
次に、上部ハウジング２１について、図３、図５及び図６を参照して説明する。図３（ａ）は上部ハウジング２１を下方から見た斜視図、図３（ｂ）は第２レバー２２を下方から見た斜視図、図６（ａ）は上部ハウジング２１の底面図、図６（ｂ）は図６（ａ）の左側面図、図６（ｃ）は図６（ａ）の正面図、図６（ｄ）は上部ハウジング２１の平面図である。つまり、図３及び図６は、上部ハウジング２１を上下を逆にして机上においたときの図面であり、図３はその斜視図、図６（ａ）は平面図、図６（ｄ）は底面図である。上部ハウジング２１及び第２レバー２２の構造は、基本的には、下部ハウジング１１及び第１レバー１２の構造と同一である。上部ハウジング２１も、その中心部に、上部ロッド２が挿通する孔２７が設けられている。また、上部ハウジング２１の外壁は孔２７を中心とする円筒状をなし、上部ハウジング２１の外壁により囲まれた上部ハウジング２１内部におけるその上半部（図３，図６上で上半部：実際は下半部になる）に、孔２７を中心とする円周上の位置に、第２壁としての円周壁２４ａ，２４ｂが形成されている。これらの円周壁２４ａ、２４ｂの間には、後述する第２コイルバネの一端部を係止するための間隙２４ｃが形成されている。一方、上部ハウジングについては、円周壁２４ａの上面には凹部２５ａと貫通孔２６ａが形成されており、円周壁２４ｂの上面には凹部２５ｂと貫通孔１２６ｂ、２６ｃが形成されている点が、下部ハウジング１１と異なる。これは、図７に示すように、上部ハウジング２１を、これらの凹部２５ａ、２５ｂ、貫通孔２６ａ、２６ｂ、２６ｃが形成された側の面を下方にして、下部ハウジング１１上に重ねた場合に、下部ハウジング１１の突起１５ａ，１５ｂが、上部ハウジング２１の凹部２５ａ、２５ｂに嵌合して、上部ハウジング２１と下部ハウジング１１との位置関係が規定されるようにするためである。また、このとき、下部ハウジング１１の凹部１６ａ，１６ｂ、１６ｃの位置と、上部ハウジング２１の貫通孔２６ａ，２６ｂ、２６ｃの位置とが、整合するように、これらの凹部及び貫通孔が形成されている。これにより、図７に示すように、ネジ６３を上部ハウジング２１の貫通孔２６ａ，２６ｂ、２６ｃを挿通して、下部ハウジング１１の凹部１６ａ，１６ｂ、１６ｃまで到達させ、ネジ６３を凹部１６ａ，１６ｂ、１６ｃ内にねじ込むことにより、上部ハウジング２１と下部ハウジング１１とを相互に固定することができる。
【００２５】
上部ハウジング２１においても、円周壁２４ａ、２４ｂの内面は、孔２７よりも若干大径で円弧状をなしており、円周壁２４ａ，２４ｂの厚さ（内面と外面との間の間隔）は一定である。円筒状をなす上部ハウジング２１の外面の一部はその上半部（実際は下半部）が切り欠かれており、後述する第２レバー２２が回動するための開口窓２９となっている。一方、上部ハウジング２１の下面６４（実際は上面）には、孔２７を取り囲む３等配の位置に、ネジ６３を挿通させる孔６２が形成されている。
【００２６】
第２レバー２２は、上部ハウジング２１内の部分２３が２重円筒状をなし、上部ハウジング２１から露出する第２部分が羽根状（羽根２２ａ）をなす。この２重円筒状の部分２３は、外筒部２３ａと、この外筒部２３ａより小径の内筒部２３ｂとが同心的に円弧状に延びて形成されており、外筒部２３ａと内筒部２３ｂとは、連絡部２３ｃにより連結されている。そして、第２レバー２２の内筒部２３ｂと外筒部２３ａとの間の隙間２８に、上部ハウジング２１の円周壁２４ａ，２４ｂが入り込むようにして、第２レバー２２の２重円筒部分２３を上部ハウジング２１の上半部（実際には下半部）に嵌め込む。そうすると、第２レバー２２は、外筒部２３ａ及び内筒部２３ｂが上部ハウジング２１の円周壁２４ａ、２４ｂに案内されて回動するため、孔２７の中心の周りに、円滑に回動する。第２レバー２２の上部ハウジング２１から露出した第２部分は、羽根２２ａとなっており、この羽根２２ａにおける羽根１２ａと対向する面には、突起４４が形成されており、対向面の反対側の面には、指の滑動を防止するための凹凸４３が形成されている。第２レバー２２の内筒部２３ｂと外筒部２３ａとを連結する連絡部２３ｃの下面には、第１レバー１２と同様に、孔２７の中心に向けて開口する１対の壁２３ｅ（図２７参照）が形成されており、壁２３ｅ間に、コイルバネ５１の他端部を係止する間隙２３ｄが形成されている。
【００２７】
図１０（ａ）はコイルバネ５０，５１の平面図、図１０（ｂ）はコイルバネ５０（５１）の正面図である。図１０に示すように、コイルバネ５０，５１は、その両端部５２，５３がコイル軸方向に垂直に且つコイルの半径方向外側に向かって屈曲している。
【００２８】
図７は、上部ハウジング２１及び下部ハウジング１１の組み立て方法を示す斜視図である。先ず、下部ハウジング１１の円周壁１４ａ、１４ｂに囲まれた内部に、コイルバネ５０を、その下端端部５２を円周壁１４ａ、１４ｂ間の間隙１４ｃ内に係止させて、配置する。そして、第１レバー１２を、その下面に形成されている１対の壁１３ｅ間の間隙１３ｄにコイルバネ５０の上端端部５３が嵌合するようにして、下部ハウジング１１内に格納する。即ち、第１レバー１２の外筒部１３ａと内筒部１３ｂとの間の間隙１８に、下部ハウジング１１の円周壁１４ａ、１４ｂを嵌合させて、第１レバー１２を下部ハウジング１１内に嵌め込む。一方、上部ハウジング２１内にも、同様にして、コイルバネ５１を格納し、第２レバー２２を格納する。この場合に、コイルバネ５１の上端端部５３を、上部ハウジング２１の円周壁２４ａ、２４ｂ間の間隙２４ｃ内に係止させ、コイルバネ５１の下端端部５２を、第２レバー２２の１対の壁２３ｅ間の間隙２３ｄ内に係止させる。また、第２レバー２２の外筒部２３ａと内筒部２３ｂとの間の間隙２８に、上部ハウジング２１の円周壁２４ａ、２４ｂが嵌合するようにする。
【００２９】
この状態で、上部ハウジング２１を下部ハウジング１１上に重ねる。この場合に、第１レバー１２の羽根部１２ａ及び第２レバー２２の羽根部２２ａは、夫々、下部ハウジング１１の開口窓１９及び上部ハウジング２１の開口窓２９を挿通して、ハウジング外部に露出する。また、上部ハウジング２１の凹部２５ａ、２５ｂを下部ハウジング１１の凸部１５ａ、１５ｂに嵌合する。そうすると、上部ハウジング２１の下面６４（実際は上面）に設けた孔６２は、上部ハウジング２１内において、貫通孔２６ａ、２６ｂ、２６ｃとなり、下部ハウジング１１の凹部１６ａ、１６ｂ、１６ｃと整合する。そこで、ネジ６３を孔６２及び貫通孔２６ａ等に挿入し、ネジ６３の先端を下部ハウジング１１の凹部１６ａ等にねじ込む。これにより、上部ハウジング２１と下部ハウジング１１とが相互に連結固定される。
【００３０】
これにより、図８及び図９に示すように、下部ハウジング１１と上部ハウジング２１とが一体的に組み立てられ、第１レバー１２及び第２レバー２２を２本の指で摘まんで、相互に接近する方向に回動させることにより、コイルバネ５０，５１の径を変更することができるようになる。
【００３１】
次いで、下部ハウジング１１の固定壁３０に下部ロッド１の上端部を嵌合し、ネジ孔３２内にネジを螺合して、このネジを締め付けることにより、下部ハウジング１１を下部ロッド１に固定する。そして、図１に示すように、上部ロッド２を上部ハウジング２１の孔２７内に挿入し、更に、下部ハウジング１１に固定されている下部ロッド１の内部に挿入する。このとき、図８に示すように、第１レバー１２及び第２レバー２２は接近方向に挟持しておく。上部ロッド２を上部ハウジング２１内に挿入した後、この第１レバー１２及び第２レバー２２の挟持を緩めると、上部ロッド２は上部ハウジング２１及び下部ハウジング１１に固定される。
【００３２】
図７に示すように、下部ハウジング１１内に格納されるコイルバネ５０と、上部ハウジング２１内に格納されるコイルバネ５１とは、同一の形状及び構造のバネである。図示例の場合は、コイルバネ５０，５１は、線材を右回転で螺旋状に巻回したときに、上方に積み上げられていく形式のものである。このとき、図８に示すように、第１レバー１２を第２レバー２２に向けて回動させると、図７に示すように、第１レバー１２に係止されたコイルバネ５０の上端端部５３はコイルバネ５０を広げる方向に移動し、コイルバネ５０の径は拡大する。一方、第２レバー２２を第１レバー１２に向けて回動させると、図７に示すように、第２レバー２２に係止されたコイルバネ５１の下端端部５２はコイルバネ５１を広げる方向に移動し、コイルバネ５１の径は拡大する。従って、図８に示すように、第１レバー１２及び第２レバー２２を接近する方向に回動させると、コイルバネ５０，５１の径が拡大し、コイルバネ５０、５１による上部ロッド２の締め付けが緩くなるか、又は上部ロッド２が開放される。
【００３３】
次に、上述のごとく構成された本実施形態の高さ調節装置の動作について説明する。図８に示すように、第１レバー１２及び第２レバー２２を摘まんで、相互に接近する方向に回動する。この状態で、図１に示すように、下部ハウジング１の下面の固定壁３０に、下部ロッド１の上端部を嵌合し、ネジ孔３２を介して、下部ロッド１の上端部を下部ハウジング１１にネジ止めする。よって、下部ロッド１は、図４（ｄ）に示す固定壁３０に外嵌し、下部ロッド１の内面が固定壁３０の外面に接触した状態で位置決めされる。従って、孔１７及び孔２７は、下部ロッド１の内径より小さく、孔２７及び孔１７内に挿入された上部ロッド２は、下部ロッド１の内部に挿入される。この状態で、上部ロッド２が下部ロッド１から露出している部分の長さを調節することにより、点滴スタンドの高さを調節する。そして、第１レバー１２及び第２レバー２２から指を離隔させて、第１レバー１２及び第２レバー２２を自由にする。そうすると、コイルバネ５０，５１はその弾性力により、元の形状及び構造に戻り、コイルバネ５０，５１の内径が縮小し、コイルバネ５０，５１の内面が上部ロッド２を締め付ける。コイルバネ５０，５１は下部ハウジング１１及び上部ハウジング２１内に格納されているので、コイルバネ５０，５１に締め付けられた上部ロッド２は上部ハウジング２１及び下部ハウジング１１に固定される。
【００３４】
そして、点滴スタンドの高さ、即ち、点滴バッグの高さ位置を変更する場合は、作業者が、図８に示すように第１レバー１２及び第２レバー２２を指で摘まんで、図１に示すように、第１レバー１２及び第２レバー２２を相互に接近する方向に回動させる。そうすると、コイルバネ５０及びコイルバネ５１の内径が大きくなり、コイルバネ５０及びコイルバネ５１による上部ロッド２の締め付け力が弱くなり、又はコイルバネ５０及びコイルバネ５１が上部ロッド２から離隔するので、上部ロッド２は下部ロッド１に対してその軸芯方向に移動することができる。このため、上部ロッド２の位置を容易に調整することができ、下部ロッド１と上部ロッド２の下部ロッド１から露出した部分との全長が変化し、点滴スタンドの高さを調節することができる。このように、第１レバー１２の第１部分１２ａ及び第２レバー２２の第２部分２２ａを相互に接近する方向に摘まむだけで、上部ロッド２の高さ位置を調節できるので、点滴バッグの高さの調節が容易である。
【００３５】
上述のごとく、図７に示すように、第１コイルバネ５０及び第２コイルバネ５１は、第１レバー１２の第１部分１２ａ及び第２レバー２２の第２部分２２ａを相互に接近する方向に回動させることにより、そのバネ径が大きくなるように、弾性的に変形する。これは、前述の如く、第１コイルバネ５０の上端部５３を第１レバー１２の壁１３ｅ間の間隙１３ｄ（図５（ｂ）参照）に係止させ、第２コイルバネ５１の下端部５２を第２レバー２２の壁２３ｅ間の間隙２３ｄに係止させることにより、第１レバー１２及び第２レバー２２を相互に接近する方向に回動させると、第１コイルバネ５０及び第２コイルバネ５１は、そのコイル径が拡大するように弾性的に変形することにより、実現できる。従って、第１コイルバネ５０及び第２コイルバネ５１は、その中心軸に沿って、同一方向に巻回されている。このため、第１コイルバネ５０及び第２コイルバネ５１は、第１レバー１２及び第２レバー２２を相互に接近する方向に回動させることにより、同一の動作（コイル径拡大）を行い、上部ロッド２の締め付け力を開放する。
【００３６】
そして、第１レバー１２の第１部分１２ａ及び第２レバー２２の第２部分２２ａから指を離して、その挟持を解除すると、コイルバネ５０及びコイルバネ５１は、弾性力により、それらの内径が小さくなる方向に変形して元の形状及び構造に戻り、上部ロッド２を締め付ける。これにより、上部ロッド２が点滴スタンドの上部ハウジング２１及び下部ハウジング１１に固定され、上部ロッド２の位置がその状態に保持される。この上部ロッド２が第１コイルバネ５０及び第２コイルバネ５１により締め付けられて固定されているときに、点滴バッグを垂下する係止棒６（図１２参照）等を介して、上部ロッド２にその軸心の周りに回転させる方向に応力が作用しようとしても、この上部ロッド２を締め付けている第１コイルバネ５０及び第２コイルバネ５１のいずれか一方は、上部ロッド２の周面との間の摩擦力により、コイル径が小さくなる方向に変形し、このコイルが上部ロッド２をより一層締め付けるので、上部ロッド２にはその回転を阻止する応力が作用し、上部ロッド２及び点滴バッグの回転が防止される。つまり、第１コイルバネ５０及び第２コイルバネ５１は、いずれも同一方向に回転するコイルバネである。例えば、図７に示すように、下方の第１コイルバネ５０と、上方の第２コイルバネ５１とは、下方から上方に向かって反時計方向に回転しつつ、円筒状に巻回されている。そして、下方の第１コイルバネ５０はその下端部５２が間隙１４ｃに係止されて固定され、上方の第２コイルバネ５１はその上端部５３が間隙２４ｃに係止されて固定されている。このため、仮に、上部ロッド２に時計方向の回転応力が作用すると、上部ロッド２の周面に接触してこれを締め付けている上方の第２コイルバネ５１は、その下端部５２が第２レバー２２とともに、摩擦力により、時計方向に回転する方向に応力が印加され、コイル径が小さくなって、第２コイルバネ５１は上部ロッド２を締め付けようとする。このため、上部ロッド２は、係止棒６に回転応力が作用しても、回転することはない。なお、この場合、下方の第１コイルバネ５０による上部ロッド２の締め付け力は、第１コイルバネ５０に時計方向の摩擦力が印加されると、その上端部５３が時計方向に回転しようとして第１コイルバネ５０のコイル径が大きくなろうとし、上部ロッド２に対する第１コイルバネ５０の締め付け力は緩和される。
【００３７】
このとき、上部ロッド２はコイルバネ５０及びコイルバネ５１により締め付けられてその位置に固定されているので、作業者の握力には無関係に固定状態が保持され、不用意に上部ロッド２が落下することはなく、確実に点滴バッグの高さが保持される。
【００３８】
また、第１レバー１２及び第２レバー２２が、２重円筒形状の部分を有し、下部ハウジング１１及び上部ハウジング２１がこの２重円筒形状の部分を嵌合する円周壁１４ａ、１４ｂ及び円周壁２４ａ，２４ｂを有することにより、第１レバー１２及び第２レバー２２を、コイルバネ５０及びコイルバネ５１の弾性力に抗して、相互に接近する方向に回動させるときに、第１レバー１２及び第２レバー２２を円滑に回動させることができる。
【００３９】
更に、下部ハウジング１１に下部ロッド１の端部を嵌合する固定壁３０を設けることにより、下部ハウジング１１を下部ロッド１に対して容易に位置決めすることができる。
【００４０】
そして、図８に示すように、本実施形態においては、第１レバー１２の第１部分１２ａと第２レバー２２の第２部分２２ａとの相互に対向する面に、相互に当接可能の突起４２，４４を設けているので、作業者が第１部分１２ａ及び第２部分２２ａを過大な力で挟持しても、第１部分１２ａ及び第２部分２２ａの根元に過大な応力が印加されて、第１部分１２ａ及び第２部分２２ａが折損してしまうことを防止できる。また、第１部分１２ａ及び第２部分２２ａには、指が接触する面に、凹凸４３，４５が形成されているので、第１部分１２ａ及び第２部分２２ａを摘まむときに、指が滑ることもない。
【００４１】
なお、上部ロッド２は下部ロッド１内に挿入されて、下部ロッド１内を昇降する。そこで、下部ロッド１と上部ロッド２との間の隙間に、弾性板が介在するように、この弾性板を下部ロッド１の外周面に設けることにより、上部ロッド２が下降するときに、下部ロッド１の内部の空気の圧力が高まり、上部ロッド２の下降に対して抵抗力を付与することができる。これにより、コイルバネ５０及びコイルバネ５１を緩めたときに、上部ロッド２がフリーの状態でも、上部ロッド２が急激に落下することなく、上部ロッド２を徐々に降下させることができる。なお、このように、急落下防止のために、ダンパーを設けておくことにより、点滴スタンドの高さ調節作業に際し、操作者は、上部ロッド２を支えておく必要がないので、第１部分１２ａ及び第２部分２２ａを摘まむだけでよく、片手操作が可能になる。なお、この急落下防止の構成は、特許文献１に記載されたように構成することもできる。
【００４２】
なお、本発明は、キャスタにより移動する台部５に下部ロッド１が立設された点滴スタンドに限らず、ベッドの筒支持部に下部ロッド１が挿入されて、ベッド又は車椅子に支持される下部ロッド１及び上部ロッド２を備えた点滴ポールについても、本発明の高さ調節装置を設置することができる。
【産業上の利用可能性】
【００４３】
本発明は、点滴バッグの高さ調節が容易であり、不用意に点滴高さが降下してしまうことなく、作業者の握持力によらずに、確実に点滴高さを保持することができるので、病院又は介護施設における点滴作業に極めて有用である。
【符号の説明】
【００４４】
１：下部ロッド
２：上部ロッド
１１：下部ハウジング
１２：第１レバー
１３ａ，２３ａ：外筒部
１３ｂ、２３ｂ：内筒部
１４ａ、１４ｂ、２４ａ，２４ｂ：円周壁
２１：上部ハウジング
２２：第２レバー
５０，５１：コイルバネ
【図１】
2014188196.tif 000003
【図２】
2014188196.tif 000004
【図３】
2014188196.tif 000005
【図４】
2014188196.tif 000006
【図５】
2014188196.tif 000007
【図６】
2014188196.tif 000008
【図７】
2014188196.tif 000009
【図８】
2014188196.tif 000010
【図９】
2014188196.tif 000011
【図１０】
2014188196.tif 000012
【図１１】
2014188196.tif 000013
【図１２】
2014188196.tif 000014